(57)【要約】【課題】その製造工程における部品点数が少なく、その製造作業が簡単であることによりコストを削減することができると共に、眼鏡をずれにくくして、着用者に不快感を与えることを防止することができる眼鏡フレームを提供する。【解決手段】ブリッジ６の左右両端部に、一対の環状のリム４，５を設けた眼鏡フレーム２１において、一対のリム４，５の互いに隣り合うそれぞれの部分の後面側の、ブリッジ６よりも下方の位置に、所定の長さを有する支持部材２８の一端部が固定され、支持部材２８の他端部に、弾力性を有する鼻パッド２７が設けられた。【選択図】図２
2018013544.tif 000002
【特許請求の範囲】
【請求項１】
ブリッジの左右両端部に、一対の環状のリムを設けた眼鏡フレームにおいて、
前記一対のリムの互いに隣り合うそれぞれの部分の後面側の、前記ブリッジよりも下方の位置に、所定の長さを有する支持部材の一端部が固定され、
前記支持部材の他端部に、弾力性を有する鼻パッドが設けられた
ことを特徴とする眼鏡フレーム。
【請求項２】
前記鼻パッドには、所定の深さを有する差込孔が形成され、
前記支持部材の太さが、前記差込孔の開口径よりも大きく、
前記支持部材の前記他端部が、前記鼻パッドの前記差込孔に差し込まれることにより、前記鼻パッドは前記支持部材に支持されている
ことを特徴とする請求項１に記載の眼鏡フレーム。
【発明の詳細な説明】
【技術分野】
【０００１】
本発明は、鼻パッドが取付けられた眼鏡フレームに関するものである。
【背景技術】
【０００２】
図９，１０は、従来技術に係る眼鏡フレーム１を用いた眼鏡１０を説明するために示す図である。
【０００３】
眼鏡１０は、図９に示すように、レンズ２，３と、レンズ２，３を支持する眼鏡フレーム１により構成されていた（例えば、特許文献１参照）。また、図９に示すように、眼鏡フレーム１は、レンズ２，３を支持するリム４，５と、これらのリム４とリム５の間を繋ぐブリッジ６と、着用者の鼻と接する部分である鼻パッド７等を備えていた。また、図９，１０に示すように、リム４，５の互いに隣合う部分の後面側の、ブリッジ６より下方の位置には、丸棒状の針金８が１つずつ固定されていた。そして、針金８の長さ方向の一端部は、リム４，５に固定され、針金８の長さ方向の他端部には、軸受９が取り付けられていた。鼻パッド７は、硬質の合成樹脂を用いて楕円形板状に形成され、所定の角度だけ回動可能な状態で軸受９に支持されていた。
このように、鼻パッド７は、針金８と軸受９を介してリム４，５に回動可能に支持されることにより、着用者の鼻の上部の隆起した部分に係止されるようになっていた。
【先行技術文献】
【特許文献】
【０００４】
【特許文献１】特開２０００−２２７５８０号公報
【発明の概要】
【発明が解決しようとする課題】
【０００５】
しかしながら、このような従来の眼鏡フレーム１においては、鼻パッド７が、硬質の合成樹脂を用いて形成され、鼻に接する部分が固いため、着用者の身体の動きにより眼鏡１０がずれる頻度が高く、着用者に眼鏡１０のずれに伴う不快感を与えるという問題があった。また、従来の眼鏡フレーム１においては、鼻パッド７が、針金８と軸受９を介してリム４，５に支持される構成となっていたため、部品点数が多くなると共に、その製造工程における作業が煩雑になるという問題があった。
【０００６】
そこで本発明は、上記問題点に鑑みて、その製造工程における部品点数が少なく、その製造作業が簡単であることによりコストを削減することができると共に、眼鏡をずれにくくして、着用者に不快感を与えることを防止することができる眼鏡フレームを提供することを課題とするものである。
【課題を解決するための手段】
【０００７】
上記課題を解決するために、本発明による眼鏡フレームは、
ブリッジの左右両端部に、一対の環状のリムを設けた眼鏡フレームにおいて、
前記一対のリムの互いに隣り合うそれぞれの部分の後面側の、前記ブリッジよりも下方の位置に、所定の長さを有する支持部材の一端部が固定され、
前記支持部材の他端部に、弾力性を有する鼻パッドが設けられたことを特徴とするものである。
【０００８】
また、本発明による眼鏡フレームは、
前記鼻パッドには、所定の深さを有する差込孔が形成され、
前記支持部材の太さが、前記差込孔の開口径よりも大きく、
前記支持部材の前記他端部が、前記鼻パッドの前記差込孔に差し込まれることにより、前記鼻パッドは前記支持部材に支持されていることを特徴とするものである。
【発明の効果】
【０００９】
このような本発明の眼鏡フレームによれば、
ブリッジの左右両端部に、一対の環状のリムを設けた眼鏡フレームにおいて、
前記一対のリムの互いに隣り合うそれぞれの部分の後面側の、前記ブリッジよりも下方の位置に、所定の長さを有する支持部材の一端部が固定され、
前記支持部材の他端部に、弾力性を有する鼻パッドが設けられたことにより、
その製造工程における部品点数が少なく、その製造作業が簡単であることによりコストを削減することができると共に、眼鏡をずれにくくして、着用者に不快感を与えることを防止することができる。
【図面の簡単な説明】
【００１０】
【図１】本発明の実施の形態に係る眼鏡フレーム２１を用いた眼鏡２０の後面側を示す背面図である。
【図２】図１に示す鼻パッド２７を拡大して示す、眼鏡２０の部分拡大背面図である。
【図３】図１に示す鼻パッド２７とリム４，５の接合部分を示す拡大側面図である。
【図４】図３に示す針金２８のみを示す側面図である。
【図５】図５（ａ）は、図４に示す針金２８のＡ−Ａ線矢視断面図で、図５（ｂ）は、図４に示す針金２８のＢ−Ｂ線矢視断面図である。
【図６】図４に示す針金２８の差込部２８ｃ、尖矢部２８ｄを拡大して示す斜視図である。
【図７】図１に示す鼻パッド２７の斜視図である。
【図８】図７に示す鼻パッド２７の上面図である。
【図９】従来技術に係る眼鏡フレーム１を用いた眼鏡１０の後面側を示す斜視図である。
【図１０】図９に示す鼻パッド７を拡大して示す、眼鏡１０の部分拡大背面図である。
【発明を実施するための形態】
【００１１】
以下、本発明に係る眼鏡フレームの実施の形態について、図面に基づいて具体的に説明する。
【００１２】
図１から図８は、本発明の実施の形態に係る眼鏡フレーム２１、及びそれを用いた眼鏡２０について説明するために参照する図である。なお、前記従来の眼鏡フレーム１と同様の部分には同じ符号を付して説明するものとする。
【００１３】
本実施の形態に係る眼鏡フレーム２１を用いた眼鏡２０は、図１に示すように、レンズ２，３と、レンズ２，３を支持する眼鏡フレーム２１により構成されている。眼鏡フレーム２１は、環状のリム４，５と、これらのリム４とリム５の間を繋ぐブリッジ６と、着用者の鼻と接する部分である鼻パッド２７等とを備えている。また、図１，２に示すように、リム４，５の互いに隣り合うそれぞれの部分の後面側（着用者の顔側）の、ブリッジ６より下方の位置には、所定の長さを有する角材状の針金２８（支持部材）が１つずつ固定されている。
【００１４】
針金２８は、図３，４に示すように、略Ｕ字状に折れ曲がった湾曲部２８ａと、湾曲部２８ａの図４中右端部から図中鉛直方向下側に伸びる接合部２８ｂと、湾曲部２８ａの図４中左端部から図中鉛直方向下側に伸びる差込部２８ｃを有するように形成されている。また、針金２８の図４中左側の先端部（差込部２８ｃの図４中下側）には、丸みを帯びた尖矢状の尖矢部２８ｄが形成されている。針金２８の差込部２８ｃは、図５（ａ）に示すように、その長さ方向に対する垂直断面形状が、図中縦の長さ寸法Ｌ１（例えば、１ミリメートル）、図中横の長さ寸法Ｌ２（例えば同じ、１ミリメートル）の四角形（方形）になるように角材状に形成されている（図６参照）。
【００１５】
また、針金２８の湾曲部２８ａ及び接合部２８ｂも、差込部２８ｃと同様に、その長さ方向に対する垂直断面形状が、縦１ミリメートル、横１ミリメートルの四角形になるように形成されている。また、図５（ｂ）に示すように、針金２８の尖矢部２８ｄも、図４中上下方向に対する垂直断面形状が四角形になるように形成されているが、その四角形の図５（ｂ）中横の長さ寸法Ｌ４が、尖矢部２８ｄの先端側に向かうにつれて、徐々に小さくなるように形成されている（図６参照）。そして、図３に示すように、針金２８の接合部２８ｂが、リム４，５の後面に接触して接着剤等により固定されている。
【００１６】
鼻パッド２７は、着用者の鼻の形に対応可能にするため、着用者の皮膚を傷付けにくいゴム等の弾力性（伸縮性）を有する材料により形成されている。図７に示すように、外形が略樽形状の鼻パッド２７は、上面２７ａ及び下面２７ｂが平坦で、側面２７ｃが図７中上下方向における中央部が膨らんでいるように湾曲して形成されている。また、図７に示すように、鼻パッド２７には、図中上面２７ａ側に開口し、所定の深さＬ５を有する差込孔２７ｄが形成されている。差込孔２７ｄは、上面２７ａからの深さＬ５が、鼻パッド２７の図７中上下方向の長さ寸法Ｌ６（上面２７ａから下面２７ｂまでの長さ寸法）の略４分の３の長さとなるように形成されている。また、図８に示すように、差込孔２７ｄの開口形状は略円形状で、その開口径Ｌ７が例えば、１ミリメートルよりも小さくなるように形成されている。  
【００１７】
そして、図３に示すように、針金２８の差込部２８ｃと尖矢部２８ｄが、鼻パッド２７の差込孔２７ｄ（図７参照）に差し込まれることにより、鼻パッド２７は針金２８に支持されている。このように、鼻パッド２７は、針金２８を介してリム４，５に支持されている。
前述した針金２８の差込部２８ｃの垂直断面（図５（ａ）参照）の、縦の長さ寸法Ｌ１と、横の長さ寸法Ｌ２が、鼻パッド２７の差込孔２７ｄの開口径Ｌ７（図８参照）よりも大きくなるように形成されている。また、図６に示すように、針金２８の尖矢部２８ｄの垂直断面（図５（ｂ）参照）の縦の長さ寸法Ｌ３と、横の長さ寸法Ｌ４も、鼻パッド２７の差込孔２７ｄの開口径Ｌ７（図８参照）よりも大きくなるように形成されている。このため、伸縮性を有する鼻パッド２７の差込孔２７ｄを押し広げることにより、針金２８の差込部２８ｃと尖矢部２８ｄを、鼻パッド２７の差込孔２７ｄに差し込むようになっている。
【００１８】
図７に示すように、差込孔２７ｄが、鼻パッド２７を下まで貫通しないように形成されているため、針金２８の差込部２８ｃと尖矢部２８ｄが、鼻パッド２７の下面２７ｂから下方に突き出して、着用者が針金２８により怪我することを防止することができる。
また、図５（ａ），（ｂ）に示すように、針金２８の差込部２８ｃ，尖矢部２８ｄの垂直断面形状が、四角形に形成されているため、鼻パッド２７が針金２８に対して回転するのを防止して、鼻パッド２７が回転することにより眼鏡がずれ易くなることを防止することができる。
また、図６に示すように、尖矢部２８ｄの図中上端部は、差込部２８ｃよりも幅が大きくなっている（拡径している）ため、尖矢部２８ｄにおける差込部２８ｃとの境界には段差面２８ｅが形成されている。そして、尖矢部２８ｄの段差面２８ｅが、伸縮性を有する鼻パッド２７に係合することにより、鼻パッド２７が、針金２８から抜け落ちることを防止することができる。
【００１９】
前述のように、従来の眼鏡フレーム１においては、鼻パッド７が、針金８と軸受９を介してリム４，５に支持される構成となっていたため、部品点数が多くなると共に、その製造工程における作業が煩雑になるという問題があった。これに対して、本実施の形態に係る眼鏡フレーム２１においては、鼻パッド２７が針金２８のみを介してリム４，５に支持される構成を有しているため、前記従来の眼鏡フレーム１に比べて、その製造工程における部品点数が少なく、その製造作業が簡単であるのでコストを削減することができる。
【００２０】
また、前述のように、従来の眼鏡フレーム１においては、鼻パッド７が、硬質の合成樹脂を用いて形成され、鼻に接する部分が固いため、着用者の身体の動きにより眼鏡１０がずれる頻度が高いという問題があった。これに対して、本実施の形態に係る眼鏡フレーム２１においては、鼻パッド２７が、着用者の鼻の形に対応可能なゴム等の弾力性を有する材料により形成されているため、眼鏡がずれることを防止することができる。なお、図７に示すように、着用者の鼻が接する鼻パッド２７の側面２７ｃは、図中上下方向における中央部が膨らんでいるように湾曲して形成されているため、側面２７ｃの図中上下方向における中央部が膨らんでいない場合に比べて、さらに着用者の鼻の形に対応できるようになっている。
【００２１】
また、本実施の形態に係る眼鏡フレーム２１においては、鼻パッド２７が、ゴム等の弾力性を有する材料により形成されているため、着用者に眼鏡のずれに伴う不快感を与えることを防止することができる。
【００２２】
したがって、本実施の形態に係る眼鏡フレーム２１においては、その製造工程における部品点数が少なく、その製造作業が簡単であることによりコストを削減することができると共に、眼鏡をずれにくくして、着用者に不快感を与えることを防止することができる。
【００２３】
なお、本発明は、本実施の形態のみに限定されるものではなく、本発明の目的を達成することができる範囲内であれば、種々の変更が可能である。
【００２４】
例えば、本実施の形態に係る眼鏡フレーム２１においては、鼻パッド２７が針金２８から抜け落ちることを防止するために、針金２８の尖矢部２８ｄの段差面２８ｅが、鼻パッド２７に係合する構成となっていたが、このような構成に限定される必要はない。したがって、例えば、針金２８に尖矢部２８ｄが形成されずに、鼻パッド２７が針金２８に接着剤を用いて固定されていてもよい。
【００２５】
また、本実施の形態に係る眼鏡フレーム２１においては、鼻パッド２７の差込孔２７ｄの上面２７ａからの深さＬ５（図７参照）が、鼻パッド２７の図７中上下方向の長さ寸法Ｌ６の略４分の３となるように形成されていたが、略４分の３に限定される必要はなく、略４分の３よりも大きくても小さくてもよい。
【００２６】
また、本実施の形態に係る眼鏡フレーム２１においては、針金２８の差込部２８ｃは、その長さ方向に対する垂直断面形状（図５（ａ）参照）が、縦１ミリメートル、横１ミリメートルの四角形になるように形成されていたが、このような寸法（太さ）に限定される必要はない。したがって、伸縮性を有する鼻パッド２７の差込孔２７ｄを押し広げることにより、針金２８の差込部２８ｃを差込孔２７ｄに差し込むことができるのであれば、差込部２８ｃの垂直断面形状は、縦１ミリメートル、横１ミリメートルの四角形よりも大きくても小さくてもよい。
【００２７】
また、本実施の形態に係る眼鏡フレーム２１においては、鼻パッド２７を支持するために針金２８が用いられていたが、針金に限定される必要はなく、針金以外の他の長さを有する部材を用いて鼻パッド２７を支持するように構成されていてもよい。
【符号の説明】
【００２８】
１  眼鏡フレーム
２，３  レンズ
４，５  リム
６  ブリッジ
７  鼻パッド
８  針金
９  軸受
１０  眼鏡
２０  眼鏡
２７  鼻パッド
２７ａ  上面
２７ｂ  下面
２７ｃ  側面
２７ｄ  差込孔
２８  針金
２８ａ  湾曲部
２８ｂ  接合部
２８ｃ  差込部
２８ｄ  尖矢部
２８ｅ  段差面
Ｌ１，Ｌ２，Ｌ３，Ｌ４，Ｌ６  長さ寸法
Ｌ５  深さ
Ｌ７  開口径
【図１】
2018013544.tif 000003
【図２】
2018013544.tif 000004
【図３】
2018013544.tif 000005
【図４】
2018013544.tif 000006
【図５】
2018013544.tif 000007
【図６】
2018013544.tif 000008
【図７】
2018013544.tif 000009
【図８】
2018013544.tif 000010
【図９】
2018013544.tif 000011
【図１０】
2018013544.tif 000012